(57)【要約】  付加制御弁装置は、入口磁石（１）と保持磁石（２）との間で長手方向軸線の方向に可逆的に可動にガイド（３）に案内された弁部材を有している。入口磁石（１）の磁石ヨーク（４）は少なくとも１つの延長部（５）を有している。この延長部（５）は少なくとも１つのウェブ（６）に直接接触している。このウェブ（６）は、延長部（５）から遠い方の端部でガイド（３）に結合されている。
2007526960.tif 000002
【特許請求の範囲】
【請求項１】
ピストン型内燃機関の吸気通路に用いられる付加制御弁装置であって、入口磁石（１）と保持磁石（２）との間で長手方向軸線の方向に可逆的に可動にガイド（３）に案内された弁部材が設けられており、入口磁石（１）が、ハウジング（１′）によって位置固定されている形式のものにおいて、ハウジング（１′）が、プラスチックから成っており、入口磁石（１）の磁石ヨーク（４）が、少なくとも１つの延長部（５）を有しており、該延長部（５）が、少なくとも１つのウェブ（６）に直接接触しており、該ウェブ（６）が、延長部（５）から遠い方の端部でガイド（３）に結合されていることを特徴とする、ピストン型内燃機関の吸気通路に用いられる付加制御弁装置。
【請求項２】
少なくとも１つのウェブ（６）が、ガイド（３）の長手方向軸線に対して垂直に配置されている、請求項１記載の付加制御弁装置。
【請求項３】
少なくとも１つのウェブ（６）と、ガイド（３）とが、個別部分から成っている、請求項１または２記載の付加制御弁装置。
【請求項４】
延長部（５）が、少なくとも１つのウェブ（６）に直接接触する端領域（５ａ）でハウジング（１′）の一部を形成している、請求項１から３までのいずれか１項記載の付加制御弁装置。
【請求項５】
端領域（５ａ）の、入口磁石（１）から遠い方の端部にアイレット（７）が配置されている、請求項４記載の付加制御弁装置。
【請求項６】
少なくとも１つのウェブ（６）が、ガイド（３）から遠い方の端部に延長部（５）に対する水平な第１のストッパ（８）と鉛直な第２のストッパ（９）とを有している、請求項１から５までのいずれか１項記載の付加制御弁装置。
【請求項７】
水平な第１のストッパ（８）と鉛直な第２のストッパ（９）とが、共通の縁部を有しており、延長部（５）が、入口磁石（１）から遠い方の端部に、水平な第１のストッパ（８）と鉛直な第２のストッパ（９）とに対して相補的に形成された溝（１０）を有している、請求項６記載の付加制御弁装置。
【発明の詳細な説明】
【技術分野】
【０００１】
本発明は、ピストン型内燃機関の吸気通路に用いられる付加制御弁装置に関する。付加制御弁装置は公知である。その機能形式は、たとえばドイツ連邦共和国特許出願公開第１０１３７８２８号明細書に記載される。この付加制御弁装置では、ほぼきのこ状に形成されていて、付加制御弁装置の長手方向軸線の方向に可逆的に可動にガイドに案内された弁部材を配置することが提案されている。この弁部材では、軸部にハット状のプレートが配置されている。このプレートは、吸気通路と反対の側に向かって凹状に１つの頂点を備えて形成されている。弁部材は運転中に入口磁石と保持磁石との間で運動させられる。こうして、付加制御弁装置のその都度所望の開放位置もしくは閉鎖位置が生ぜしめられる。弁部材の軸部はつばで終わっている。このつばと、軸部が案内される盲孔の底部との間には、第１のばねが支持されている。つばと、盲孔の他方の端部との間には、別のばねが支持されている。こうして、弁部材が両ばねと一緒に振動系を形成している。この振動系はばねによって中間位置に保持される。振動系の固有周波数はばね定数と弁部材の重量とによって付与されている。こうして、開放位置と閉鎖位置との間での極端に迅速な交番が可能となることが確保される。この場合、間で弁部材が可逆的に可動に案内される入口磁石と保持磁石とによって、その都度保持力が加えられさえすればよく、運動エネルギはばねに蓄えられる。しかし、このような付加制御弁装置では、入口磁石に最大２３０℃の温度が生ぜしめられ、大きな問題が熱導出時に生ぜしめられることが欠点である。
【０００２】
したがって、本発明の課題は、ピストン型内燃機関の吸気通路に用いられる付加制御弁装置を改良して、入口磁石に運転中に生ぜしめられる熱を可能な限り迅速に導出することが可能となるようにすることである。
【０００３】
本発明の根底を成す課題は、ピストン型内燃機関の吸気通路に用いられる付加制御弁装置であって、入口磁石と保持磁石との間で長手方向軸線の方向に可逆的に可動にガイドに案内された弁部材が設けられている形式のものにおいて、入口磁石の磁石ヨークが、少なくとも１つの延長部を有しており、該延長部が、少なくとも１つのウェブに直接接触しており、該ウェブが、延長部から遠い方の端部でガイドに結合されていることによって解決される。入口磁石と保持磁石とは、それぞれコイルと磁石ヨークとの組合せを意味している。両磁石は環状磁石である。弁部材は、軸部と、吸気通路と反対の側に向かって凹状に１つの頂点を備えて形成されたハット状のプレートとの組合せである。磁石ヨークの延長部は、たとえば部分環状に形成されていて、場合により円錐状に延びていてもよい。この延長部は少なくとも１つのウェブに直接接触している。この場合、有利な構成は、３つのウェブの配置で付与されている。この場合、各ウェブに対して、磁石ヨークの所属の延長部を設けることができる。少なくとも１つのウェブは金属、有利にはアルミニウムから成っている。延長部と少なくとも１つのウェブとの間の固い結合は必ずしも必要でない。しかし、幾つかの事例では、点状に固い結合部を設けることが有利であり得る。驚くべきことに、入口磁石に生ぜしめられる熱量は、入口磁石の磁石ヨークが、少なくとも１つの延長部を有しており、この延長部が、少なくとも１つのウェブに直接接触しており、このウェブが、延長部から遠い方の端部でガイドに結合されている場合に、簡単に比較的迅速に付加制御弁装置から導出することができることが分かった。この場合、特に有利には、このために、付加制御弁装置がその寸法において、より大きく設計される必要はない。
【０００４】
本発明の有利な構成では、少なくとも１つのウェブが、ガイドの長手方向軸線に対して垂直に配置されている。こうして、付加制御弁装置を比較的コンパクトに形成することができる。同時に安定性が有利に高められる。
【０００５】
本発明の別の有利な構成によれば、少なくとも１つのウェブと、ガイドとが、個別部分から成っている。これによって、付加制御弁装置の製作が容易になる。なぜならば、少なくとも１つのウェブと、ガイドとを、個々の１回の作業ステップで製作することができるからである。
【０００６】
本発明の別の有利な構成では、延長部が、少なくとも１つのウェブに直接接触する端領域でハウジングの一部を形成している。この場合、ハウジングという概念は、入口磁石が位置固定された部分を意味している。ハウジングは一般的にプラスチックから成っている。延長部が端領域でハウジングの一部を形成している場合には、これによって、付加的に、入口磁石から延長部を介して周辺への熱導出が容易になる。同時に付加制御弁装置における安定性が高められる。
【０００７】
本発明の別の構成によれば、端領域の、入口磁石から遠い方の端部にアイレットが配置されている。この場合、このアイレットの配置は、一般的に特に有利にはガイドの長手方向軸線に対して垂直に行われる。アイレットは、たとえば少なくとも１つの孔を有している。この孔は、固定手段、たとえばねじを収容するために働く。この場合、有利には、付加制御弁装置を全体的に比較的簡単に、ピストン型内燃機関の吸気通路に設けられたフレームに固定することができる。
【０００８】
本発明の別の有利な構成では、少なくとも１つのウェブが、ガイドから遠い方の端部に延長部に対する水平な第１のストッパと鉛直な第２のストッパとを有している。この場合、水平な第１のストッパは、入口磁石に面した当接面を有している。こうして、延長部と少なくとも１つのウェブとのコンタクティングが有利に助成される。
【０００９】
本発明の別の構成によれば、水平な第１のストッパと鉛直な第２のストッパとが、共通の縁部を有しており、延長部が、入口磁石から遠い方の端部に、水平な第１のストッパと鉛直な第２のストッパとに対して相補的に形成された溝を有している。こうして、有利には、少なくとも１つのウェブへの延長部の最適な接触が可能な限り僅かな構成スペースで達成される。
【００１０】
以下に、本発明の実施例を図面につき詳しく説明する。
【００１１】
図１には、ピストン型内燃機関の吸気通路に用いられる付加制御弁装置が縦断面図で三次元的な形で示してある。この付加制御弁装置では、弁部材(図示せず）が、入口磁石１と保持磁石２との間で長手方向軸線の方向に可逆的に可動にガイド３に案内される。このガイド３の内部の構造は、図面を見やすくする理由に基づき示していない。入口磁石１の、複数の部分から形成された磁石ヨーク４は少なくとも１つの延長部５を有している。この延長部５は少なくとも１つのウェブ６に直接接触している。このウェブ６は、延長部５から遠い方の端部でガイド３に結合されている。この場合、少なくとも１つのウェブ６はガイド３の長手方向軸線に対して垂直に配置されている。この場合、少なくとも１つのウェブ６と、ガイド３とは、個別部分から成っている。延長部５は、少なくとも１つのウェブ６に直接接触する端領域５ａでハウジング１′の一部を形成している。端領域５ａの、入口磁石１から遠い方の端部には、アイレット７が配置されている。ウェブ６は、ガイド３から遠い方の端部に延長部５に対する水平な第１のストッパ８と鉛直な第２のストッパ９とを有している。水平な第１のストッパ８と鉛直な第２のストッパ９とは共通の縁部を有している。延長部５は、入口磁石１から遠い方の端部に、水平な第１のストッパ８と鉛直な第２のストッパ９とに対して相補的に形成された溝１０を有している。こうして、入口磁石１が位置固定されたハウジング１′が適宜に加工されることによって、少なくとも１つのウェブ６への延長部５の接触が最小の構成スペースで特に有利に達成され、これによって、流れ縁部ｋをその経過において特に簡単に最適化することができる。特に有利には、保持磁石２がガイド３に直接配置されている。これによって、保持磁石２に生ぜしめられる熱を迅速にかつ簡単に付加制御弁装置から導出することもできることが確保される。しかし、保持磁石２を付加制御弁装置内に局所的に別の形式で位置固定することも可能である。アイレット７を介して、付加制御弁装置を特に簡単に有利に、たとえばフレームに固定することができる。このためには、固定手段、たとえばねじがアイレット７の孔内に矢印方向で導入され、フレームにねじ締結される。この場合、さらに、有利には、このような形式の固定によって、主として、入口磁石１と、ハウジング１′と、延長部５の端領域５ａと、アイレット７とから成る第１の部分ユニットＩが、特に保持磁石２と、少なくとも１つのウェブ６と、ガイド３とから成る第２の部分ユニットＩＩに固く当て付けられる。さらに、有利には、水平な第１のストッパ８と鉛直な第２のストッパ９とによって、相補的に形成された溝１０に相俟って、最適な間隔を第１の部分ユニットＩと第２の部分ユニットＩＩとの間もしくは入口磁石１と保持磁石２との間に生ぜしめることができる。これによって、入口磁石１と保持磁石２との間での弁部材（図示せず）の運動経過を同じく最適化することができる。この場合、第１の部分ユニットＩと第２の部分ユニットＩＩとの間の固い結合は必ずしも必要でない。
【図面の簡単な説明】
【００１２】
【図１】付加制御弁装置を縦断面図で三次元的な形で示す図である。
【符号の説明】
【００１３】
１  入口磁石、  １′  ハウジング、  ２  保持磁石、  ３  ガイド、  ４  磁石ヨーク、  ５  延長部、  ５ａ  端領域、  ６  ウェブ、  ７  アイレット、  ８  ストッパ、  ９  ストッパ、  １０  溝、  ｋ  流れ縁部、  Ｉ  部分ユニット、  ＩＩ  部分ユニット
【図１】
2007526960.tif 000003
【国際調査報告】
2007526960.tif 000004
2007526960.tif 000005
2007526960.tif 000006
2007526960.tif 000007